(57)【要約】【課題】意匠性に優れた床面の形成方法を提供する。【解決手段】平面における大きさが異なる２種以上の化粧板を床面上に積層する施工方法であって、（１）化粧板として、木質板に化粧シートが積層されてなる化粧板及び木質板以外の化粧板が使用され、（２）各化粧板を組み合わせられるように、化粧板の側面にさねはぎ加工が施されており、（３）各化粧板のうち少なくとも１種は、他の化粧板と異なる意匠を有する、ことを特徴とする施工方法に係る。【選択図】なし【特許請求の範囲】
【請求項１】
平面における大きさが異なる２種以上の化粧板を床面上に積層する施工方法であって、
（１）化粧板として、木質板に化粧シートが積層されてなる化粧板及び木質板以外の化粧板が使用され、
（２）各化粧板を組み合わせられるように、化粧板の側面にさねはぎ加工が施されており、
（３）各化粧板のうち少なくとも１種は、他の化粧板と異なる意匠を有する、
ことを特徴とする施工方法。
【請求項２】
平面における大きさが異なる２種の化粧板を床面上に積層する施工方法であって、
（１）各化粧板として、木質板に化粧シートが積層されてなる化粧板及び木質板以外の化粧板が使用され、
（２）各化粧板を組み合わせられるように、化粧板の側面にさねはぎ加工が施されており、
（３）２種の化粧板は互いに異なる意匠を有する、
ことを特徴とする施工方法。
【請求項３】
さねはぎ加工により形成されたさねに位置合わせ用凸部が形成されている請求項１又は２に記載の化粧板。
【請求項４】
さねはぎ加工により形成された小穴に位置合わせ用凹部が形成されている請求項１記載の化粧板。
【請求項５】
請求項１〜４のいずれかに記載の施工方法により得られる床面。
【発明の詳細な説明】
【技術分野】
【０００１】
本発明は、建築構造物の室内等における床面の施工方法に関する。
【背景技術】
【０００２】
建築構造物の室内の床仕上げのひとつとして板貼り仕上げがある。この場合には、例えば図１に示すように、長方形の長尺（長手）方向に平行に溝部２が複数入ったフローリングボード１が多用されている。この化粧板を複数用い、これらを床に配置することによって、フローリング仕様の床面に仕上げることができる。
【０００３】
一方、最近では個性にあふれる床面デザインを好むユーザーが増えつつあり、その要求に応える技術が必要とされている。特に、この傾向は、店舗用のみならず、住宅用においても顕著になっている。
【０００４】
しかし、従来の施工方法では、同一サイズ（例えば１尺×６尺、１５０ｃｍ×４０ｃｍ等の規格品）を組み上げることによる施工である。このため、従来の方法では、ユーザーが望むような意匠を個別に作り出すことは困難である。
【特許文献１】特開２００２−１４７００４号公報
【発明の開示】
【発明が解決しようとする課題】
【０００５】
従って、本発明の主な目的は、意匠性に優れた床面の形成方法を提供することにある。
【課題を解決するための手段】
【０００６】
本発明者は、従来技術の問題点に鑑み、鋭意研究を重ねた結果、特定の化粧板を組み合わせて用いることにより上記目的を達成できることを見出し、本発明を完成するに至った。
【０００７】
すなわち、本発明は、下記の床面の施工方法に係る。
【０００８】
１．  平面における大きさが異なる２種以上の化粧板を床面上に積層する施工方法であって、
（１）化粧板として、木質板に化粧シートが積層されてなる化粧板及び木質板以外の化粧板が使用され、
（２）各化粧板を組み合わせられるように、化粧板の側面にさねはぎ加工が施されており、
（３）各化粧板のうち少なくとも１種は、他の化粧板と異なる意匠を有する、
ことを特徴とする施工方法。
【０００９】
２．  平面における大きさが異なる２種の化粧板を床面上に積層する施工方法であって、
（１）各化粧板として、木質板に化粧シートが積層されてなる化粧板及び木質板以外の化粧板が使用され、
（２）各化粧板を組み合わせられるように、化粧板の側面にさねはぎ加工が施されており、
（３）２種の化粧板は互いに異なる意匠を有する、
ことを特徴とする施工方法。
【００１０】
３．  さねはぎ加工により形成されたさねに位置合わせ用凸部が形成されている前記項１又は２に記載の化粧板。
【００１１】
４．  さねはぎ加工により形成された小穴に位置合わせ用凹部が形成されている前記項１記載の化粧板。
【００１２】
５．  前記項１〜４のいずれかに記載の施工方法により得られる床面。
【発明の効果】
【００１３】
本発明によれば、木質系の化粧板を用いるとともに、それと異なる材質の化粧板を組み合わせることにより床の外観を形成するので、これまでの施工方法で表現できなかった意匠を創出することができる。
【００１４】
また、さねはぎ加工された部位に位置合わせ用の凹部又は凸部を設ける場合には、化粧板どうしの連結時に位置合わせを容比較的易に行うことができ、効率的に所望の意匠を有する床面を形成することができる。
【発明を実施するための最良の形態】
【００１５】
本発明の施工方法は、平面における大きさが異なる２種以上の化粧板を床面上に積層する施工方法であって、
（１）化粧板として、木質板に化粧シートが積層されてなる化粧板及び木質板以外の化粧板が使用され、
（２）各化粧板を組み合わせられるように、化粧板の側面にさねはぎ加工が施されており、
（３）各化粧板のうち少なくとも１種は、他の化粧板と異なる意匠を有する、
ことを特徴とする。
【００１６】
木質板に化粧シートが積層されてなる化粧板（木質系化粧板）に関し、木質板及び化粧シートは、公知のもの又は市販品を用いることができる。化粧シートとしては、例えば基材シート上に木目模様柄層、透明性樹脂層及び透明保護層を有するシートを用いることができる。特に、本発明化粧板を床材として用いる場合には、基材シート上に木目模様柄層、透明性樹脂層及び透明保護層を有し、かつ、当該基材シートの裏面に厚み２００μｍ以上の合成樹脂層を有する化粧シートを好適に用いることができる。木質板としては、例えば杉、檜、松、ラワン、チーク等の樹木からなる木材単板、木材合板、パーティクルボード、中密度繊維板（ＭＤＦ）等の木質板が挙げられる。
【００１７】
本発明では、上記木質系化粧板以外の化粧板を組み合わせて用いる。すなわち、少なくとも表面が木質以外の材質から形成されている化粧板を用いる。換言すれば、表面が木質以外の材質からなるものであれば良く、下地は木質材であっても良い。木質以外の材質としては、例えばプラスチック、陶器・セラミックス、金属・合金等を挙げることができる。これらの材質からなる化粧板は、市販のものを使用することもできる。木質材と他の材料とを組み合わせる場合は、例えば金属を鋳造した後、これに木質板を貼り合わせる方法、プラスチック成型方法により複合させる方法等を採用することができる。
【００１８】
これら２種以上の化粧板は、平面における大きさが異なるものを用いる。すなわち、面積が異なるものを使用すれば良い。具体的な面積の大きさは、所望の意匠等に応じて適宜設定すれば良い。
【００１９】
各化粧板の側面には、各化粧板を組み合わせられるように、さねはぎ加工がそれぞれ施されている。図２には、本発明化粧板のさねはぎ加工された部位を示す。化粧板１は、さねはぎ加工によりさね３が形成され、いわゆる「雄ざね」を形成している。化粧板２は、さねはぎ加工により小穴４（溝部）が形成され、いわゆる「雌ざね」を形成している。これら両者が嵌合されることによって、両方の化粧板が連結される。図２の態様では、さね及び小穴の断面形状は角柱状の凹凸部になっているが、半円形状の凹凸部、三角柱状の凹凸部等のいずれの形状であっても良い。
【００２０】
本発明は、化粧板１の他方の側面にはさねを形成しても良いし、小穴を形成しても良い。通常は、さねはぎ加工により化粧板の側面にさねを形成し、他方の側面（対向する側面）にさねはぎ加工により小穴を形成することが望ましい。すなわち、ひとつの化粧板にさね及び小穴の両方が設けられていることが好ましい。
【００２１】
本発明では、化粧板のサイズにかかわらず、各化粧板を互いに嵌合できるように同一のサイズ・形状の「雄ざね」及び／又は「雌ざね」が形成されている。
【００２２】
本発明では、特に、さねはぎ加工された部位に位置合わせ用の凹部又は凸部が設けられていることが望ましい。これにより、各化粧板を比較的短時間で組み合わせることが可能になる。
【００２３】
図３は、さねはぎ加工された部位に位置合わせ用凹部又は凸部が設けられていない化粧板の組合せ（一対）を示す平面図である。これに対し、本発明化粧板は、図４（ａ）に示すように、さね３及び小穴４にそれぞれ凹部５及び凸部６が設けられている。位置合わせ用の凹部又は凸部は、両者が互いに対応（嵌合）するように設けられている限り、その形状、数等は特に限定されない。また、さね３に凹部５とともに、別の位置に凹部又は凸部を設けることも可能である。同様に、小穴４に凸部６とともに、別の位置に凹部又は凸部を設けることもできる。
【００２４】
本発明では、各化粧板のうち少なくとも１種（各大きさを有する化粧板のうち特定の大きさを有する化粧板の一群）は、他の化粧板と異なる意匠を有する。異なる意匠とは、例えば色、模様、つや、質感等の少なくとも１つが異なるものをいう。このような化粧板を組み合わせて用いることにより、床面全体を施工した場合にこれが意匠的なアクセントとなり、これまでの施工方法では得られなかった意匠をもつ床面を得ることができる。
【００２５】
例えば、大きさが異なる２種の化粧板を用いる場合を説明する。図６には、サイズが３００ｍｍ×９００ｍｍの化粧板（第１化粧板）（図５（ａ））と、サイズが１５０ｍｍ×４０ｍｍの化粧板（第２化粧板）（図５（ｂ））とを組み合わせた施工例を示す。第１化粧板は、木質板に木目の化粧シートが積層されたものである。これに対し、第２化粧板は、プラスチックからなる。これらを図４のように組み合わせて施工することにより、床面上において第２化粧板がアクセントとなり、全体として個性的な床面を創出することが可能になる。
【００２６】
また、図５に示す化粧板を用い、円で囲んだ領域（左下）で示されるようにランダムに組み合わせて施工すれば、図６とは異なる意匠を創出することができる。
【００２７】
さらに、図７に示すように、特定の木目を有する第１化粧板（３００ｍｍ×９００ｍｍ）、プラスチックからなる第２化粧板（３００ｍｍ×７５ｍｍ）、金属からなる第３化粧板を組み合わせて施工すれば、異なる質感を併せ持つ個性的な意匠を創り出すことができる。
【００２８】
床面に化粧板を積層する方法自体は、公知の方法と同様にすれば良い。例えば、接着剤等を用いて床に接着すれば良い。また、必要に応じて、防水加工、撥水処理等の処理を施しても良い。
【図面の簡単な説明】
【００２９】
【図１】従来のフローリングボードを示す平面図である。
【図２】本発明化粧板のさねはぎ加工を施した部位を示す斜視図である。
【図３】さねはぎ加工された一対の化粧板の平面図である。
【図４】図４（ａ）は、一対の本発明化粧板（連結前）の平面図である。図４（ｂ）は、一対の本発明化粧板が連結された状態を示す平面図である。
【図５】材質及び大きさが異なる２種の化粧板の概略図である。
【図６】材質及び大きさが異なる２種の化粧板を組み合わせて床面をつくる場合の施工例を示す。
【図７】材質及び模様が異なる３種の化粧板を組み合わせて床面をつくる場合の施工例を示す。
【図１】
2006097381.tif 000002
【図２】
2006097381.tif 000003
【図３】
2006097381.tif 000004
【図４】
2006097381.tif 000005
【図５】
2006097381.tif 000006
【図６】
2006097381.tif 000007
【図７】
2006097381.tif 000008